(57)【要約】      （修正有）【課題】断線を確実に抑え得るとともに、ケーブルへの装着作業が楽なケーブル用プロテクタの提供。【解決手段】配線がなされたケーブル体４と、ケーブル体４に比べて大断面積の端子部とを備えたケーブルの、ケーブル体４に装着されるケーブル用プロテクタにおいて、プロテクタ本体１２をケーブル体４の外周面に沿うよう伸長させ、係止凸部１４が係止孔部１５に挿入されるよう嵌合させることにより、ケーブル体４に対しプロテクタ本体１２を楽に装着させられる。【選択図】図７
2019003896.tif 000002
【特許請求の範囲】
【請求項１】
配線がなされたケーブル体と、該ケーブル体の端部にあって前記配線に電気的に接続されたコネクタを有し前記ケーブル体に比べて大断面積の端子部とを備えたケーブルの、前記ケーブル体に装着されるケーブル用プロテクタであって、
可撓性を有し前記ケーブル体の一部に巻かれることで該ケーブル体の一部を被覆可能な帯状のプロテクタ本体と、該プロテクタ本体の一表面に一体的に形成された係止凸部と、前記プロテクタ本体に形成されて前記係止凸部が嵌合可能な係止孔部とを備えたことを特徴とするケーブル用プロテクタ。
【請求項２】
前記プロテクタ本体は、帯幅方向の一方側を低剛性とされ、帯幅方向の他方側を高剛性とされている請求項１に記載のケーブル用プロテクタ。
【請求項３】
前記係止凸部が形成された前記プロテクタ本体の一表面とは反対側の他表面のうちの、帯幅方向の一方側寄りに、装着補助凸部が形成された請求項１または請求項２に記載のケーブル用プロテクタ。
【請求項４】
前記コネクタを覆うためのキャップを備え、該キャップは、連結部を介して前記プロテクタ本体に取付けられている請求項１ないし請求項３に記載のケーブル用プロテクタ。
【発明の詳細な説明】
【技術分野】
【０００１】
本発明は、例えば、電子機器の充電のために電子機器に接続されるケーブルに用いられ、該ケーブルにおける電気配線の断線を防止するためのケーブル用プロテクタに関する。
【背景技術】
【０００２】
この種のケーブル用プロテクタが、特許文献１に記載されている。このケーブル用プロテクタは、コネクタおよびケーブル体に渡るよう添えられる支え部と、支え部をコネクタに取付けるための取付部とを備えている。支え部は、コネクタおよびケーブル体の一側（径方向一方側）においてコネクタおよびケーブル体に渡るよう添えられ、取付部をコネクタに巻くようにして装着される。すなわち、支え部が添えられない他側方向へは、ケーブル体は容易に曲がる。このため、特許文献１に記載のケーブル用プロテクタでは、ケーブル体が他側方向に曲げられることによる断線を発生させ易い。
【０００３】
そこで、図１５に示すケーブル用プロテクタが提案されている。このケーブル用プロテクタは、図１５（ａ）に示すように、ケーブル体４０におけるコネクタ５０寄りの部分を径方向両側で覆うよう装着される二つ割り構造の支え部３０と、図１５（ｂ）に示すように、支え部３０の分離を防止するよう支え部３０を両側で覆うよう装着される二つ割り構造の保持部３１とを備えている。
【０００４】
このケーブル用プロテクタによれば、ケーブル体４０におけるコネクタ５０寄りの部分が径方向両側で覆われるから、特許文献１に記載のケーブル用プロテクタに比べて、断線を確実に抑えられる。
【先行技術文献】
【特許文献】
【０００５】
【特許文献１】特開平１１−５４２０２号公報
【発明の概要】
【発明が解決しようとする課題】
【０００６】
しかしながら、図１５に示すケーブル用プロテクタは、ケーブル体４０におけるコネクタ５０寄りの部分を両側で覆って断線を抑えられる一方で、支え部３０および保持部３１という複数個の構成部品からなり、しかも支え部３０および保持部３１はそれぞれ二つ割り構造である。このため、ケーブル用プロテクタをケーブル体４０に装着する作業が煩わしい。
【０００７】
そこで本発明は、断線を確実に抑え得るとともに、ケーブルへの装着作業が楽なケーブル用プロテクタの提供を目的とする。
【課題を解決するための手段】
【０００８】
本発明ケーブル用プロテクタでは、配線がなされたケーブル体と、該ケーブル体の端部にあって前記配線に電気的に接続されたコネクタを有し前記ケーブル体に比べて大断面積の端子部とを備えたケーブルの、前記ケーブル体に装着されるケーブル用プロテクタであって、可撓性を有し前記ケーブル体の一部に巻かれることで該ケーブル体の一部を被覆可能な帯状のプロテクタ本体と、該プロテクタ本体の一表面に一体的に形成された係止凸部と、前記プロテクタ本体に形成されて前記係止凸部が嵌合可能な係止孔部とを備えたことを特徴としている。
【０００９】
上記構成を備えた本発明のケーブル用プロテクタは、帯状のプロテクタ本体を、ケーブル体における、端子部への接続部分の外周面を覆うように巻き、係止孔部に係止凸部を嵌合して係止させるといった容易な作業により、ケーブル用プロテクタをケーブル体に装着させられ、このケーブル用プロテクタにより、ケーブル体における、端子部への接続部分での径方向の撓み量を制限して、配線の断線を抑制させられる。
【００１０】
本発明のケーブル用プロテクタでは、前記プロテクタ本体は、帯幅方向の一方側を低剛性とされ、帯幅方向の他方側を高剛性とされた構成を採用できる。
【００１１】
上記構成のケーブル用プロテクタは、ケーブル体にプロテクタ本体を装着した状態において、プロテクタ本体における帯幅方向の他方側の高剛性の領域ではケーブル体における端子部側を保護し、プロテクタ本体における帯幅方向の一方側の低剛性の領域では、ケーブル体における端子部側から外れた部分の撓みに追従して、ケーブル体を保護することができる。
【００１２】
本発明のケーブル用プロテクタでは、前記係止凸部が形成された前記プロテクタ本体の一表面とは反対側の他表面のうちの、帯幅方向の一方側寄りに、装着補助凸部が形成された構成を採用できる。
【００１３】
上記構成を備えたケーブル用プロテクタは、ケーブル体における端子部への接続部分において、大径の領域と小径の領域とを含むケーブルにプロテクタ本体を装着した場合では、プロテクタ本体の他表面と小径部との隙間に装着補助凸部が介装されてケーブル体へのプロテクタ本体の装着が補助されることで、大径の領域を有するケーブル体であっても、ケーブル体へのプロテクタ本体の装着を安定させられる。また、プロテクタ本体を端子部とケーブル体に渡るよう装着した場合にも、プロテクタ本体の他表面とケーブル体の隙間に装着補助凸部が介装されてケーブル体へのプロテクタ本体の装着が補助されることで、プロテクタ本体の装着を安定させられる。
【００１４】
本発明のケーブル用プロテクタは、前記コネクタを覆うためのキャップを備え、該キャップは、連結部を介して前記プロテクタ本体に取付けられた構成を採用できる。
【００１５】
上記構成を備えたケーブル用プロテクタのように、キャップが連結部を介してプロテクタ本体に取付けられていれば、コネクタをキャップで覆うよう、キャップをコネクタに取付けた状態において、プロテクタ本体の位置ずれは、連結部を介してキャップにより抑制される。
【発明の効果】
【００１６】
本発明のケーブル用プロテクタは、プロテクタ本体をケーブル体の端子部側においてその外周面を覆うように巻き、係止孔部に係止凸部を嵌合して係止させるといった容易な作業により、ケーブル体に装着できる。
【図面の簡単な説明】
【００１７】
【図１】本発明の第一の実施形態に係るケーブル用プロテクタの使用状態を表した一部断面図である。
【図２】同全体斜視図である。
【図３】同正面図である。
【図４】同側面図である。
【図５】同底面図である。
【図６】同図３におけるＡ−Ａ線断面矢視図である。
【図７】同ケーブルへの装着手順を表し、（ａ）は装着途中を表す平面図、（ｂ）は装着状態を表す平面図である。
【図８】本発明の第二の実施形態に係るケーブル用プロテクタの正面図である。
【図９】同側面図である。
【図１０】同底面図である。
【図１１】同図９におけるＤ−Ｄ線断面矢視図である。
【図１２】同図８におけるＢ−Ｂ線断面矢視図である。
【図１３】同図８におけるＣ−Ｃ線断面矢視図である。
【図１４】同ケーブルへの装着手順を表し、（ａ）は装着途中を表す平面図、（ｂ）は装着状態を表す平面図である。
【図１５】従来のケーブル用プロテクタを表し、（ａ）（ｂ）ともに装着途中を表す斜視図である。
【発明を実施するための形態】
【００１８】
以下、本発明の一実施形態に係るケーブル用プロテクタを、図面を参照しつつ説明する。まず、本発明の第一の実施形態を、図面を参照しつつ説明する。図１に示すように、第一の実施形態に係るケーブル用プロテクタ１は、装着対象物としてＵＳＢケーブル等のケーブル２に装着して使用される。このため、説明の便宜上、はじめにケーブル２についてその概略を説明する。
【００１９】
ケーブル２はＵＳＢケーブルであり、一般的な構成を備えている。すなわちケーブル２は、電気配線３（信号線を含む）を挿通させた樹脂製のケーブル体４と、ケーブル体４に通された電気配線３に電気的に接続されたＵＳＢコネクタ５を有する端子部６とを備える。端子部６は、ＵＳＢコネクタ５と、ＵＳＢコネクタ５を保持する樹脂製の端子部本体７とを備える。ケーブル体４は、小径部に相当する長尺のケーブル体本体８と、ケーブル体本体８と端子部本体７との間に配置された、大径部に相当するブッシング部９とを一体的に備える。
【００２０】
ケーブル体本体８、ブッシング部９、端子部本体７では、ケーブル体本体８が最も小断面積に形成され、次いでブッシング部９、端子部本体７の順で大断面積となっている。なお、ブッシング部９は断線抑制部であり、電気配線３が大きく曲げられることを制限して電気配線３の断線を抑制する。また、ブッシング部９は端子部本体７に対するケーブル体４の接続部分である。
【００２１】
したがって、ブッシング部９とケーブル体本体８との境界部分には、第一段付面１０が形成されている。また、ブッシング部９と端子部本体７との境界部分には、第二段付面１１が形成されている。
【００２２】
次に、ケーブル用プロテクタ１について詳述する。ケーブル用プロテクタ１は、ケーブル２の一部を被覆可能なプロテクタ本体１２と、図２に示すように、プロテクタ本体１２の表面である一表面１３に一体的に形成された係止凸部１４と、プロテクタ本体１２に形成されて係止凸部１４が嵌合可能な係止孔部１５とを備える。また、ケーブル用プロテクタ１は、ＵＳＢコネクタ５を覆うためのキャップ１６をさらに備える。ケーブル用プロテクタ１は、全体を、可撓性および伸縮性を備えた材料（例えばシリコンゴム等）により形成されている。
【００２３】
プロテクタ本体１２は、図３および図４に示すように、充分な可撓性および伸縮性を確保可能な一定の厚みに形成され、無負荷状態において矩形の帯状（板状）を呈するよう形成されている。プロテクタ本体１２は、図１に示すように、ケーブル体４の外周面１７の一部を被覆するよう巻付けられることで、ケーブル体４の一部に装着される。図２および図５に示すように、プロテクタ本体１２の四隅は円弧状に形成されて面取りされている。
【００２４】
図２ないし図４に示すように、係止凸部１４はピン状に形成され、プロテクタ本体１２においてケーブル体４への巻方向一端側寄りに配置されている。巻方向一端側寄りとは、巻方向一端に対して巻方向他端側へ位置ずれした位置である。巻方向とは、プロテクタ本体１２を、ケーブル体４の一部を覆うように巻く方向である。この巻方向はプロテクタ本体１２の長手方向である。プロテクタ本体１２の長手方向長さは、ケーブル体本体８の外周面１７の周方向長さと同等に形成されている。
【００２５】
係止凸部１４は、プロテクタ本体１２の一表面１３に、巻方向に直交する帯幅方向（以下単に「幅方向」）に離間して一対で設けられている。各係止凸部１４は、同一の形状に形成されている。係止凸部１４は、一表面１３から一体に立上げられた小円柱状の基部１８と、基部１８に一体的に形成され基部１８対して大径に形成された頭部１９とを備える。基部１８から頭部１９へ急拡大する面は、係止孔部１５に係止する係止面２０とされている。頭部１９の周囲は、円弧面に面取りされている。
【００２６】
図２に示すように、係止孔部１５は、プロテクタ本体１２においてケーブル体４への巻方向他端側寄りに配置されている。巻方向他端側寄りとは、巻方向他端に対して巻方向一端側へ位置ずれした位置である。係止孔部１５は、係止凸部１４に対応するよう、幅方向に離間して一対で設けられている。係止孔部１５はプロテクタ本体１２を厚み方向に貫通して形成されており、係止孔部１５の孔径は基部１８より大きく頭部１９の最大径より小さい。係止孔部１５は、プロテクタ本体１２を厚み方向に貫通して形成されており、プロテクタ本体１２の一表面１３側、および一表面１３と反対側の他表面２１側では、錐面状に拡大されている。
【００２７】
孔径が頭部１９の最大径より小さく形成されていたとしても、プロテクタ本体１２および係止凸部１４は可撓性および伸縮性を備えた材料から形成されていることにより、係止凸部１４を係止孔部１５に嵌合させる際に係止凸部１４が変形し、また、係止孔部１５が拡大することにより、係止孔部１５に係止凸部１４を挿通することができる。
【００２８】
プロテクタ本体１２において、幅方向一方側の剛性に比べて幅方向他方側の剛性が高く設定されている。換言すれば、プロテクタ本体１２において、幅方向他方側の剛性に比べて幅方向一方側の剛性が低い、低剛性に設定されている。この構成とすべく、本実施形態では、図２および図７に示すように、プロテクタ本体１２の一表面１３において、幅方向一方側寄りに、巻方向に沿う溝２２が形成されている。溝２２は、プロテクタ本体１２の幅方向一方側寄りに複数条（この場合では２条）形成されている。双方の溝２２は、プロテクタ本体１２の巻方向に亘って平行に形成されているが、係止凸部１４および係止孔部１５に相当する領域では省略されている。
【００２９】
図３ないし図６に示すように、プロテクタ本体１２の他表面２１において、係止凸部１４が形成された一表面１３とは反対側の他表面２１のうちの幅方向一方側寄りに、装着補助凸部２３が形成されている。装着補助凸部２３は、プロテクタ本体１２の巻方向に沿う複数の凸条である。装着補助凸部２３は、他表面２１の幅方向一方側寄りに３条形成されている。装着補助凸部２３どうしは互いに平行であり、プロテクタ本体１２の巻方向に亘る。但し、装着補助凸部２３は、係止孔部１５に相当する領域では省略されている。なお、プロテクタ本体１２の幅方向一方側寄りに装着補助凸部２３が形成されていても、プロテクタ本体１２の幅方向一方側寄りには溝２２が形成されているため、プロテクタ本体１２の幅方向一方側寄りの領域では、高剛性となることを抑制されている。
【００３０】
図１ないし図４に示すように、キャップ１６は片側を開放した袋状に形成されており、ＵＳＢコネクタ５を収容可能な、収容凹部２４を備えている。キャップ１６は、連結部２５を介してプロテクタ本体１２に取付けられている。連結部２５は、プロテクタ本体１２の一表面１３のうち、幅方向他方側寄り、且つ係止凸部１４寄りに一体的に形成されている。連結部２５の直径は、プロテクタ本体１２の幅寸法に比べて極めて小さく設定されている。
【００３１】
上記構成を備えたケーブル用プロテクタ１は、ユーザにより、図７に示すように、帯状のプロテクタ本体１２を、ケーブル体本体８とブッシング部９に渡るよう、また、ケーブル体４の外周面を覆うように巻いて装着される。プロテクタ本体１２は、可撓性および伸縮性を備えているから、プロテクタ本体１２をケーブル体４の外周面に沿うよう伸長させることで、ケーブル体４の外周面に容易に沿わすことができる。
【００３２】
ユーザがプロテクタ本体１２をケーブル体４の外周面に巻く場合、図７（ａ）に示すように、プロテクタ本体１２の一表面１３を径外方向側とし、他表面２１を径内方向側として、図７（ｂ）に示すように、係止凸部１４が係止孔部１５に、他表面２１側から挿入されるようそれぞれ嵌合させる。
【００３３】
そして前述したように、係止孔部１５の孔径が係止凸部１４の頭部１９の最大径より小さく形成されていたとしても、プロテクタ本体１２および係止凸部１４は可撓性および伸縮性を備えた材料から形成されている。このことにより、係止凸部１４を係止孔部１５に嵌合させる際に係止凸部１４が変形し、また、係止孔部１５が拡大することにより、係止孔部１５に係止凸部１４を挿通させることができ、ケーブル２に対しプロテクタ本体１２を楽に装着させられる。
【００３４】
図７（ｂ）に示すように、係止凸部１４が係止孔部１５に挿通されたら、プロテクタ本体１２が湾曲状態から平板状に復元する弾性復元力により、係止凸部１４の頭部１９の係止面２０が、一表面１３における係止孔部１５の外周部に係止する。このため、一対の係止凸部１４が一対の係止孔部１５から抜止めされて、ケーブル２に対するプロテクタ本体１２の装着状態が保持される。
【００３５】
ケーブル２において、ブッシング部９とケーブル体本体８とで径が異なるため、双方の境界部分には第一段付面１０が形成されている。そして、プロテクタ本体１２の他表面２１において、係止凸部１４が形成された一表面１３とは反対側の他表面２１のうちの一方側寄りに、装着補助凸部２３が形成され、装着補助凸部２３は、プロテクタ本体１２の巻方向に沿う複数の凸条である。ケーブル２に対するプロテクタ本体１２の装着状態では、第一段付面１０が存在するために生じるケーブル体本体８の外周面１７とプロテクタ本体１２の他表面２１との間に、装着補助凸部２３が介装される。ケーブル体本体８の外周面１７とプロテクタ本体１２の他表面２１との間に、装着補助凸部２３が介装されることで、プロテクタ本体１２全体として、これがケーブル体４に安定した状態で装着される。
【００３６】
プロテクタ本体１２がケーブル２に装着された図７（ｂ）の状態では、プロテクタ本体１２がケーブル２にまだ装着されていない状態に比べて、プロテクタ本体１２の肉厚が薄くなっている。これは、プロテクタ本体１２の装着のために、プロテクタ本体１２を巻方向に引き伸ばしたためである。このように、本実施形態におけるプロテクタ本体１２では、これを巻方向に引き伸ばしたことに対する弾性復元力により、ケーブル２に対するプロテクタ本体１２の装着状態が保持されるようにしている。
【００３７】
そこで本実施形態では、プロテクタ本体１２の長手方向長さが、ケーブル体本体８の周方向長さと同等に形成されている。また、係止凸部１４は、プロテクタ本体１２においてケーブル体４への巻方向一端側寄りに配置され、係止孔部１５では、プロテクタ本体１２においてケーブル体４への巻方向他端側寄りに配置された構成が採用されている。この構成によれば、プロテクタ本体１２をケーブル体４に装着すべく係止凸部１４を係止孔部１５に嵌合するには、プロテクタ本体１２を巻方向に引き伸ばさなければならず、係止凸部１４が係止孔部１５に嵌合した状態では、プロテクタ本体１２の巻方向端部どうしに重なり部分が発生している。すなわち、プロテクタ本体１２をケーブル体４に装着した状態では、係止凸部１４が係止孔部１５に嵌合することで、プロテクタ本体１２の伸長状態が保持されている。このため、プロテクタ本体１２に弾性復元力が生じて、プロテクタ本体１２がケーブル体４に装着された状態を保持できる。
【００３８】
このようにして、プロテクタ本体をケーブル体４に装着した状態において、ユーザはキャップ１６を手指で摘んで、これをＵＳＢコネクタ５に被せる。ＵＳＢコネクタ５は、連結部２５を介してプロテクタ本体１２に取付けられている。しかしながら、前述したように、プロテクタ本体１２はケーブル体４に装着された状態を保持されており、連結部２５の直径は、プロテクタ本体１２の幅寸法に比べて極めて小さく設定されている。このため、ユーザがキャップをＵＳＢコネクタ５に被せるためにキャップ１６を介して連結部２５を引いても、その引張力は連結部２５の伸長により吸収されて、ケーブル体４へのプロテクタ本体１２の装着状態に影響は与えにくい。したがって、ケーブル体４に対し定まった位置でのプロテクタ本体１２の装着状態が保持される。また、キャップ１６が連結部２５を介してプロテクタ本体１２に取付けられていれば、ＵＳＢコネクタ５をキャップ１６で覆うよう、キャップ１６をＵＳＢコネクタ５に取付けた状態において、プロテクタ本体１２の位置ずれは、連結部２５を介してキャップ１６により抑制される。
【００３９】
本実施形態におけるケーブル用プロテクタ１では、プロテクタ本体１２全体がケーブル体４に安定した状態で装着される。また、プロテクタ本体１２における、幅方向一方側は、巻方向に沿う溝２２を形成していることで、その分だけ低剛性の領域とされており、幅方向他方側には、溝２２は形成されておらず高剛性の領域である。つまり、プロテクタ本体１２をケーブル体４においてケーブル体本体８とブッシング部９に渡るように装着した状態では、幅方向他方側の領域がブッシング部９にフィットしていることで、ブッシング部９の撓みをより確実に抑制する。
【００４０】
また、ケーブル体本体８に、図１に示す、ブッシング部９との接続部分２６（第一段付面１０）を中心とした曲げ方向の力が働いた場合に、プロテクタ本体１２の幅方向一方側の領域が、ケーブル体本体８の曲げに抗しつつも追従する。このため、接続部分２６を中心としたケーブル体本体８の曲げ量（撓み量）が大きくなることを抑制でき、ケーブル体４に通された電気配線３の断線を確実に抑制できる。
【００４１】
次に、図８ないし図１４を参照しつつ、本発明の第二の実施形態を説明する。第二の実施形態におけるケーブル用プロテクタ１が装着される装着対象物としては、第一の実施形態と同様に、ＵＳＢケーブル等のケーブル２であるので、その説明は繰返さない。
【００４２】
第二の実施形態におけるケーブル用プロテクタ１が、第一の実施形態におけるケーブル用プロテクタ１と異なる部分としては、プロテクタ本体６０、係止凸部１４、および装着補助凸部６３の構成である。さらに、連結部２５の位置が異なる。なお、プロテクタ本体６０の剛性は、長手方向および幅方向に亘って同一に設定されている。その他の構成は、第一の実施形態と同様であるから、第一の実施形態と同様の機能を有する構成部品については同一の符合を付して、その説明を繰返さない。
【００４３】
図８に示すように、第二の実施形態におけるプロテクタ本体６０は、第一の実施形態におけるプロテクタ本体１２の一部を湾曲させた形状とされている。すなわちプロテクタ本体６０は、無負荷状態において、扁平な矩形の板状を呈する板状部領域６１と、板状部領域６１に一体的に形成されて、無負荷状態において、一表面１３を外側にして湾曲した形状を呈する湾曲部領域６２とを備える。湾曲部領域６２は、プロテクタ本体６０における長手方向一端側の領域であり、係止凸部１４は湾曲部領域６２に形成され、図９に示すように、係止孔部１５は板状部領域６１に形成されている。
【００４４】
プロテクタ本体６０は、幅方向および長さ方向に亘って同一の厚みに形成されて、剛性は、長手方向および幅方向に亘って同一に設定されている。湾曲部領域６２における他表面２１の曲率については特定されるものではないが、例えば、ブッシング部９の曲率に比べてわずかに小さい曲率（曲率半径が大きい）、あるいはブッシング部９の曲率に倣う程度の曲率が挙げられる。
【００４５】
図８、９、１１、１２に示すように、係止凸部１４は、支持リブ６４を一体的に備える。支持リブ６４は板状に形成されており、係止凸部１４の基部１８および係止面２０において幅方向中心部、並びに湾曲部領域６２における巻方向一端面に亘るよう形成されている。このような支持リブ６４は、係止凸部１４ごとに設けられている。なお、図１２に示すように、支持リブ６４の厚みは、係止凸部１４の基部１８の径に比べて小さく設定されている。
【００４６】
図８および図１３に示すように、装着補助凸部６３は、プロテクタ本体６０の湾曲部領域６２のみに形成され、且つ湾曲部領域６２の幅方向一方側に配置されている。装着補助凸部６３は、プロテクタ本体６０の幅方向一方側寄りに３条形成されている。なお、図１０に示すように、連結部２５は、プロテクタ本体６０における板状部領域６１の一表面１３のうち幅方向他方側寄り、且つ係止孔部１５寄りに一体的に形成されている。
【００４７】
上記構成を備えた第二の実施形態におけるケーブル用プロテクタ１は、ユーザにより、帯状のプロテクタ本体６０を、ケーブル体本体８とブッシング部９に渡るよう（図１参照）、また、ケーブル体４の外周面を覆うように巻いて装着される。この場合、ユーザは、装着補助凸部６３をケーブル体本体８のうち、ブッシング部９近傍に位置させ、プロテクタ本体６０をケーブル体本体８とブッシング部９に渡るように装着する。
【００４８】
第二の実施形態におけるケーブル用プロテクタ１では、プロテクタ本体６０が湾曲部領域６２を備えている。湾曲部領域６２は、ケーブル体本体８の外周面に沿うよう予め湾曲して形成されている。このためユーザは、図１４（ａ）に示すように、湾曲部領域６２については、ケーブル体本体８の外周面に嵌め込むようにし、その後にプロテクタ本体６０をケーブル体４の外周面に沿うよう伸長させて、図１４（ｂ）に示すように、係止凸部１４を係止孔部１５に嵌合させる。
【００４９】
湾曲部領域６２をケーブル体本体８の外周面に嵌め込むようにしてから、ユーザがこれを手指で摘めば、プロテクタ本体６０の板状部領域６１を引き伸ばし易い。また、連結部２５は、プロテクタ本体６０における板状部領域６１にあるから、ユーザが湾曲部領域６２を摘むのに邪魔にならない。
【００５０】
ケーブル２に対するプロテクタ本体６０の装着状態では、第一段付面１０が存在するために生じるケーブル体本体８の外周面１７とプロテクタ本体６０の他表面２１との間に、装着補助凸部６３が介装される。ケーブル体本体８の外周面１７とプロテクタ本体６０の他表面２１との間に、装着補助凸部６３が介装されることで、プロテクタ本体６０全体として、これがケーブル体４に安定した状態で装着される。
【００５１】
ところで、プロテクタ本体６０は、可撓性および伸縮性を備えた材料により形成されている。このことにより、プロテクタ本体６０をケーブル体４の外周面に沿うよう伸長させて係止凸部１４を係止孔部１５に嵌合させた状態では、係止孔部１５が巻方向に伸び、係止凸部１４の基部１８と係止孔部１５の周壁面との間に、巻方向に沿う方向に長い隙間６５が発生することが考えられる。そうなると、係止凸部１４が係止孔部１５から外れてしまい、ケーブル体４がプロテクタ本体６０から外れてしまうことが考えられる。しかしながら、第二の実施形態におけるケーブル用プロテクタ１では、係止凸部１４に支持リブ６４が一体的に形成されている。このため、ユーザが係止凸部１４を係止孔部１５に嵌合させる際、図１４（ｂ）に示すように、係止凸部１４とともに支持リブ６４を係止孔部１５に嵌合させる。
【００５２】
このようにすることで、係止孔部１５が巻方向に伸びて、係止凸部１４の基部１８と係止孔部１５の周壁面との間に巻方向に沿う方向の隙間６５が発生したとしても、この隙間６５に支持リブ６４が入り込んで、隙間６５が支持リブ６４で埋められることにより、係止孔部１５が係止孔部１５から外れない。
【００５３】
本発明のケーブル用プロテクタ１は、上記実施形態に限定されない。上記各実施形態では、係止凸部１４はプロテクタ本体１２，６０に一対、すなわち２個設け、係止孔部１５も一対すなわち２箇所に設けた場合を例示した。しかしながら、係止凸部１４はプロテクタ本体１２，６０の、例えば幅方向中間部に１個だけ設けることができ、この場合では、係止孔部１５もプロテクタ本体１２，６０の幅方向中間部に１個だけ設けるようにする。
【００５４】
上記各実施形態では、係止凸部１４はピン状に形成した場合を例示した。しかしながら、係止凸部は、プロテクタ本体１２，６０の幅方向に沿う凸条とすることも可能である。この場合、係止孔部は係止凸部の形状に対応するよう、プロテクタ本体１２，６０の幅方向に沿う切欠とすることが考えられる。
【００５５】
上記各実施形態では、装着補助凸部２３，６３は、プロテクタ本体１２，６０の巻方向に沿う複数の凸条とした。しかしながら、凸条の代わりにピン状の凸起を巻方向に離間して配置することで、これがケーブル体本体８の外周面１７とプロテクタ本体１２，６０の他表面２１との間に介装される構成とすることもできる。あるいは、プロテクタ本体１２，６０の幅方向一方側の領域の厚みを、幅方向他方側の領域の厚みに比べて厚く形成することで、この厚くした部分が、ケーブル体本体８の外周面１７とプロテクタ本体１２，６０の他表面２１との間に介装される構成とすることもできる。なお、装着補助凸部２３，６３は、本発明のケーブル用プロテクタ１において必須ではなく、省略することができる。
【００５６】
上記各実施形態では、ケーブル用プロテクタ１の装着対象物がＵＳＢケーブル２の場合を例示した。しかしながら、装着対象物はＵＳＢケーブル２に限定されず、その他の規格のコネクタを備えたケーブルや、あるいは端子部にコンセントプラグを備えたケーブルであってもよい。また、ケーブルはブッシング部９を有しないタイプであってもよく、この場合では、ケーブル用プロテクタ１のプロテクタ本体１２，６０は、ケーブル体本体（ブッシング部９を有しないケーブル体）と、端子部に渡すように装着される。
【００５７】
なお、上記各実施形態では、ケーブル用プロテクタ１はキャップ１６および連結部２５を備えた場合を例示した。しかしながら、キャップ１６および連結部２５の有無は限定されない。
【００５８】
第一の実施形態では、プロテクタ本体１２の幅方向一方側の高剛性化を抑制する手段が、一表面１３に形成した溝２２である場合を例示した。しかしながら、高剛性化を抑制する手段は、プロテクタ本体１２の幅方向一方側の材料を、幅方向他方側の材料と異なる材料としても実現できる。また、第二の実施形態のケーブル用プロテクタ１において、プロテクタ本体６０の幅方向一方側を低剛性に形成する場合が考えられる。
【符号の説明】
【００５９】
１…ケーブル用プロテクタ、２…ケーブル、３…電気配線、４…ケーブル体、５…コネクタ、６…端子部、７…端子部本体、８…ケーブル体本体、９…ブッシング部、１０…第一段付面、１２…プロテクタ本体、１３…一表面、１４…係止凸部、１５…係止孔部、１７…外周面、２０…係止面、２１…他表面、２２…溝、２３…装着補助凸部、２６…接続部分
【図１】
2019003896.tif 000003
【図２】
2019003896.tif 000004
【図３】
2019003896.tif 000005
【図４】
2019003896.tif 000006
【図５】
2019003896.tif 000007
【図６】
2019003896.tif 000008
【図７】
2019003896.tif 000009
【図８】
2019003896.tif 000010
【図９】
2019003896.tif 000011
【図１０】
2019003896.tif 000012
【図１１】
2019003896.tif 000013
【図１２】
2019003896.tif 000014
【図１３】
2019003896.tif 000015
【図１４】
2019003896.tif 000016
【図１５】
2019003896.tif 000017